(57)【要約】【課題】  バーベキューセットや長テーブル、長椅子、収納庫などの機能体をベランダなどのオープンデッキの下に仕舞うことができ、その出し入れが容易であるオープンデッキにおける機能体の収納装置を提供する【解決手段】  根太を兼ねる支持フレームを配列し、隣接する１対の支持フレームの間に、収納庫などの機能体を出し入れ自在に装備し、両支持フレームに内側に突出するチャンネル形のガイドレールを取り付け、機能体の両側には、スライド縁片を設け、ガイドレールの先端部にその内溝に係合するガイドローラーを軸支し、スライド縁片の基端部にはガイドレールの底部上を走行する戸車を設け、両ガイドレールの基端部と両スライド縁片の先端部との間に、それぞれ伸縮スライドレールを双方に連結して介在させ、機能体の先端に支持脚を取り付けた。【選択図】    図１
2005146664.tif 000002
【特許請求の範囲】
【請求項１】
床を根太で受けるバルコニー、ベランダなどのオープンデッキにおいて、根太を兼ねる支持フレーム又はそれと直交する支持フレームを配列し、隣接する１対の支持フレームの間に、長テーブル、長椅子、バーベキューセット、収納庫などの機能体を出し入れ自在に装備し、その出し入れ構造については、両支持フレームに内側に突出するチャンネル形のガイドレールを取り付け、機能体の両側には、ガイドレールの中に突入する部分の反転屈折によりコ字形の内溝を備えたスライド縁片を設け、ガイドレールの先端部にその内溝に係合するガイドローラーを軸支し、スライド縁片の基端部にはガイドレールの底部上を走行する戸車を設け、両ガイドレールの基端部と両スライド縁片の先端部との間に、それぞれ伸縮スライドレールを双方に連結して介在させ、機能体の先端に支持脚を取り付けたことを特徴とするオープンデッキにおける機能体の収納装置。
【請求項２】
伸縮スライドレールが、口合わせとなる一対の蟻溝のチャンネル部材と、その両方に脱出不能にスライドする心材とを一連として構成して複数連の組合せからなるとともに、隣接する連を背中合わせとなるチャンネル部材どうしの結合により連結してなり、自由となる両端のチャンネル部材については、その一方を支持フレームの基端に、他端をスライド縁片の基端にそれぞれ固着したことを特徴とする請求項１記載のオープンデッキにおける機能体の収納装置。
【請求項３】
床を根太で受けるバルコニー、ベランダなどのオープンデッキにおいて、根太を兼ねる支持フレーム又はそれと直交する支持フレームを配列し、１対となる支持フレームの間に、長テーブル、長椅子、バーベキューセット、収納庫などの機能体を出し入れ自在に装備し、その出し入れ構造については、両支持フレームに、機能体を出し入れして案内し得るよう下端がチャンネル形であるガイドレールを垂設する一方、前端部間において機能体の押さえとなる横架材を架設し、ガイドレールの前端部には機能体を受ける端点支持ローラと、側部から押さえる側部支持ローラとを装着し、機能体には、後端部において、ガイドレールのチャンネル形部に受けられる縦走行ローラと、ガイドレールの内面を押さえる横走行ローラとを装着し、さらに、横架材には、機能体を上から抑制する押えローラを前記端点支持ローラよりも奥まる後部において設けたことを特徴とするオープンデッキにおける機能体の収納装置。
【発明の詳細な説明】
【技術分野】
【０００１】
この発明は、ベランダなどのように屋外に設けられるオープンデッキの下をバーベキューセットなどの収納に利用するオープンデッキにおける機能体の収納装置に関する。
【背景技術】
【０００２】
従来、ベランダなどのオープンデッキは、母屋から庭に向かって突出して構築され、配列された根太の上に板材を配列したもので、根太を支持する桁が柱状の脚により支持されているため床板の下には空間を有する。この空間を従来は有効に利用されることはなく、庭で使用する例えば雪吊りの竹や、使わない植木鉢などを投げ入れておく程度にした利用されていなかった。
【０００３】
また、庭では寛ぎながら食事をとり、あるいは親しい友人や近所の人を呼び集めてもてなすために、バーベキューが行われることがあるが、それには、バーベキューセットが必要である。バーベキューセットは、椅子に腰掛けたり、立った姿勢でも箸先が届きやすい高さ位置に、鉄板または焼き網を配置し、その下にコンロなどの熱源を設けたものであるので、普通にや４脚を有するテーブル状であるが、テーブルの上にそれらの装備を置くこともある。
【０００４】
いずれにしても、一般家庭の庭において、バーベキューセットやテーブル、長子などの機能体は、特別な時に使用するものであるから、常時物置に仕舞っておくことになり、使用自体は便利であっても、必要なときにそれを出し入れするために持ち運ぶことは非常に厄介なことであった。
【発明の開示】
【発明が解決しようとする課題】
【０００５】
この発明は、上記のような実情に鑑みて、バーベキューセットや長テーブル、長椅子、収納庫などの機能体をベランダなどのオープンデッキの下に仕舞うことができ、その出し入れが容易であるオープンデッキにおける機能体の収納装置を提供することを課題とした。
【課題を解決するための手段】
【０００６】
上記の課題を解決するために、第１発明は、床を根太で受けるバルコニー、ベランダなどのオープンデッキにおいて、根太を兼ねる支持フレームを配列し、隣接する１対の支持フレームの間に、長テーブル、長椅子、バーベキューセット、収納庫などの機能体を出し入れ自在に装備し、その出し入れ構造については、両支持フレームに内側に突出するチャンネル形のガイドレールを取り付け、機能体の両側には、ガイドレールの中に突入する部分の反転屈折によりコ字形の内溝を備えたスライド縁片を設け、ガイドレールの先端部にその内溝に係合するガイドローラーを軸支し、スライド縁片の基端部にはガイドレールの底部上を走行する戸車を設け、両ガイドレールの基端部と両スライド縁片の先端部との間に、それぞれ伸縮スライドレールを双方に連結して介在させ、機能体の先端に支持脚を取り付けたことを特徴とするオープンデッキにおける機能体の収納装置を提供するものである。
【０００７】
オープンデッキにおける機能体の収納装置を上記のように構成したから、床の下に配列されるガイドレールの上に、戸車が走行することにより機能体が出し入れされるもので、機能体がガイドレールに対してガイドローラーを介して常時係合している。加えて、自在な伸縮スライドレールにより常に連繋されているので、機能体を引き出すと伸縮スライドレールが伸び、収納すると縮んで機能体を保持する。
【０００８】
第２発明は、床を根太で受けるバルコニー、ベランダなどのオープンデッキにおいて、根太を兼ねる支持フレーム又はそれと直交する支持フレームを配列し、１対となる支持フレームの間に、長テーブル、長椅子、バーベキューセット、収納庫などの機能体を出し入れ自在に装備し、その出し入れ構造については、両支持フレームに、機能体を出し入れして案内し得るよう下端がチャンネル形であるガイドレールを垂設する一方、前端部間において機能体の押さえとなる横架材を架設し、ガイドレールの前端部には機能体を受ける端点支持ローラと、側部から押さえる側部支持ローラとを装着し、機能体には、後端部において、ガイドレールのチャンネル形部に受けられる縦走行ローラと、ガイドレールの内面を押さえる横走行ローラとを装着し、さらに、横架材には、機能体を上から抑制する押えローラを前記端点支持ローラよりも奥まる後部において設けたことを特徴とするオープンデッキにおける機能体の収納装置を提供する。
【０００９】
上記の構成によれば、左右ガイドレールの前端の端点支持ローラと機能体の後端部の縦走行ローラとにより機能体が走行自在に保持され、左右ガイドレールの前端の側部支持ローラと、機能体の後端部の横走行ローラとによりガタつかないように安定して機能体が保持され、また、機能体を引き出したときには、端点支持ローラが支点となり、押えローラの押さえにより機能体が水平状態を保持する。
【発明の効果】
【００１０】
以上説明したように、この発明によれば、バルコニー、ベランダなどのオープンデッキなどの下を、長テーブル、長椅子、バーベキューセット、収納庫などの機能体を仕舞うのに便利に利用できるもので、引き出せばその機能に応じた使用ができるので、機能体を運ぶ労力が省けて好都合であることはもちろん、機能体が常時ガタつくことなく安定して保持されるために、出し入れなどの取り扱いが容易であり有効に利用できるという優れた効果がある。
【発明を実施するための最良の形態】
【００１１】
図１は、バルコニー３の下に長テーブル５とそれを挟む一対の長椅子７，７を出し入れするようにした実施形態の説明をなすもので、図２ないし図７は、そのうちの長テーブル５について第１発明の実施の形態の収納装置を示す。また、図８は、図１と類例の実施形態を示す斜視図であり、庭で食事ができるように、母屋１から突き出るバルコニー３の下に、長テーブル５と、それを挟む一対の長椅子（ベンチ）７，７をそれぞれ出し入れできるようになされている。以下に、主に長テーブル５について説明するが、長椅子７，７の出し入れについても同様であるし、収納庫などの他の機能体についても同様の構造となる。なお、バーベキューセットについては、長テーブル５の板材６の部分にコンロなどを設置して構成できる。
【００１２】
バルコニー３は、アルミ合金や鉄合金などの金属部材により骨組み（図１の実線）を構成し、その上に木材やプラスチックなどの板材で床９を張ったもので、骨組みについては、脚１１，１１，・・で支持される前後桁１３，１３の間に多数の根太を配設してあって、隣接する一部の根太を長テーブル５と長椅子７をそれぞれ出し入れするための支持フレーム１５，１５として使用される。つまり、支持フレーム１５が根太兼用となっている。なお、１６も根太である。
【００１３】
左右支持フレーム１５，１５には、ガイドレール１７，１７が互いに向かい合う内側に突出して取り付けられ（図５）、長テーブル５の両側にはそのガイドレール１７，１７に受けられるスライド縁片１８，１８が突設される。そして、両ガイドレール１７，１７の出口側としての先端部に長テーブル５を受けるガイドローラー２０，２０を取り付け、長テーブル５の基端部にはガイドレール１７，１７の上に走行する戸車２１，２１が装着してある。また、ガイドローラー２０，２０の中にはスライド機構により伸縮する伸縮スライドレール２３，２３を納め（図２，図３）、その一端が支持フレーム１５，１５の基端部に、先端部が長テーブル５のスライド縁片１８の基端部に連結され、長テーブル５の出し入れに伴い伸縮するようになっている。図１において、長テーブル５および長椅子７，７を仕舞った収納位置を二点鎖線で示す。
【００１４】
ガイドレール１７，１７は、平板面の上に戸車２１を走行させるようにしたもので、その他にガイドローラー２０や伸縮スライドレール２３が納まるように幅広く形成される。その断面形状については、両側壁に高低差を有するチャンネル形であって、支持フレーム１５，１５に取り付けるために、高い一側壁の上端にネジ１９による取付片２５が突設されている（図５）。また、低い側にはガイドローラー２０の軸承片２７がビスで固定される。
【００１５】
また、スライド縁片１８，１８は、基本形状が逆チャンネル形であって、ガイドレール１７に入る外側の端部が反転して屈折することにより内溝３０が形成され、その内溝３０の中に起立片３１が突設され（図６）、また、内溝３０の内側の下端には板材６の受部片３５が屈折して形成される（図５）。起立片３１には戸車２１が軸支されるが、戸車２１以外の箇所では欠除される。
【００１６】
伸縮スライドレール２３，２３は、複数の部材が組み合うものを１連として３連からなり（図６）、各１連が、一対の帯板部材３７ａ，３７ａを二つ合わせにネジで止めたものを心材３７として、その両帯板部材３７，３７にそれぞれ蟻溝のチャンネル部材３９，３９を挿入したものであって、三連２４，２４，２４が順次接続してある。その接続については、隣り合う連のチャンネル部材３９，３９どうしを背中合わせにビスまたは鋲４２などで止めてある。そして、両端のチャンネル部材３９（３９ａ），３９（３９ａ）については、その一方を伸縮スライドレール１７に、他方をスライド縁片１８にビス４０などで止めてある。
【００１７】
図２および図３は、長テーブル５を引き出したために、伸縮スライドレール２３，２３が伸びた状態を示したものである。この引き出した状態で水平に保持するために、長テーブル５の先端には額縁様に枠組みされた支持脚４１を設け、その下にレベルアジャスター４３，４３が取り付けられる。長テーブル５をこのように引き出したときには、伸縮スライドレール２３が伸びた状態にあるが、納めたときには、奥端部に各部材が重なって縮んだ状態となる。
【００１８】
なお、図８では、長テーブル５の先端に長さを足す補助端テーブル４２を、両側には幅を足す補助袖テーブル４３，４３をそれぞれ開閉可能に設け、補助端テーブル４２と支持脚４１との間に折畳みリンク４５が介在されている。４７が物を入れたりする窪みである。
【００１９】
上記の実施形態は、次の実施形態を説明する図９のように、機能体５４を横に引き出すようにする場合にも実施できる。
【００２０】
図９ないし図１３は、第２発明（請求項３）の一実施形態を示したもので、母屋１から突き出るオープンデッキ２に対して母屋１と平行に機能体５４，５４，５４を出し入れするようにしたもので、そのため、母屋１から突き出る根太５２，５２，・・に直交して母屋１と平行に支持フレーム５５，５５を配列し、隣接する支持フレーム５５，５５に機能体５４が配設され、オープンデッキ２の横に機能体５４が引き出されるようになっている。
【００２１】
オープンデッキ２を出し入れする両側の支持フレーム５５，５５には、オープンデッキ２を抱え込むようにガイドレール５７，５７を垂設し、前端部（但し横方向の前端部）には、両支持フレーム５５，５５の間に横架材５９が架設され、横架材５９には、オープンデッキ２の上面壁６０に接触して回転する左右一対の押えローラ６５，６５が装着される。
【００２２】
両ガイドレール５７，５７は、オープンデッキ２を抱え込む高さの側壁の下に内側へ反転屈折したチャンネル形部６２，６２が浅く形成されており、前端部において（図１１）、チャンネル形部６２，６２にオープンデッキ２を受ける端点支持ローラ６１，６１を設け、縦壁には側部支持ローラ６３，６３が装着される。そこで、オープンデッキ２を引き出したときには、端点支持ローラ６１，６１が支点となり、その後ろを前記した押えローラ６５，６５が押さえるので、このローラ６１，６５の前後２点支持により、オープンデッキ２が下がらないで水平状態を保持する。従って、前記実施形態におけるような片持ちの脚を必ずしも必要としない。
【００２３】
機能体５４は、幅広い逆チャンネル形であって、平たい上面壁６０の両端が下に屈折し、その下に内側への反転屈折部６６，６６が設けられ、後端部において（図１２）、その反転屈折部６６，６６に縦走行ローラ６７，６７を設け、両側には横走行ローラ６９，６９が装着される。このように、オープンデッキ２には、前端部にはローラが設けられないためにローラが引き出されることはなく、縦走行ローラ６７，６７と横走行ローラ６９，６９とが常時支持フレーム５５，５５の中に納まっており、また、支持フレーム５５，５５の前端の端点支持ローラ６１，６１と側部支持ローラ６３，６３、および押えローラ６５，６５と共に機能体５４を収納、引出しのいずれの状態においてもそれを水平に保持する。
【００２４】
以上のような実施形態は、図１に示すように、母屋１に対して直交する前方向に機能体５４を引き出す場合に採ることができることはいうまでもない。
【図面の簡単な説明】
【００２５】
【図１】この発明に係るオープンデッキにおける機能体の収納装置の基本的構造を示す平面から見た説明図である。
【図２】同オープンデッキにおいて第１発明の一実施形態について機能体が長テーブルである場合の収納装置の平面から見た半部平面図である。
【図３】同じく平面から見た他の半部平面図である。
【図４】同収納装置を示す縦断面図である。
【図５】図４のＡ−Ａ線矢視の断面図である。
【図６】図５のＢ部の拡大図である。
【図７】伸縮スライドレールの一連を示す側面図である。
【図８】この発明の実施形態として長テーブルと長椅子とを装着したバルコニーの斜視図である。
【図９】この発明の第２の実施形態におけるオープンデッキを骨組みにおいて示す平面図である。
【図１０】図９のＣ−Ｃ断面図である。
【図１１】同オープンデッキにおける機能体の収納装置を示す正面から見た前端部断面図である。
【図１２】同オープンデッキにおける機能体の収納装置を示す正面から見た後端部の断面図である。
【図１３】図１０に示す要部を中間省略した拡大断面図である。
【符号の説明】
【００２６】
３  オープンデッキとしてのバルコニー
５  機能体としての長テーブル
７  機能体としての長椅子
９  床
１５  支持フレーム
１７  ガイドレール
１８  スライド縁片
２０  ガイドローラー
２１  戸車
２３  伸縮スライドレール
２４  一連
３０  内溝
３７  心材
３９  チャンネル部材
４１  支持脚
５４  機能体
５５  支持フレーム
５７  ガイドレール
５９  横架材
５４  機能体
５５  支持フレーム
５７  ガイドレール
５９  横架材
６１  端点支持ローラ
６２  チャンネル形部
６３  側部支持ローラ
６５  押えローラ
６７  縦走行ローラ
６９  横走行ローラ
【図１】
2005146664.tif 000003
【図２】
2005146664.tif 000004
【図３】
2005146664.tif 000005
【図４】
2005146664.tif 000006
【図５】
2005146664.tif 000007
【図６】
2005146664.tif 000008
【図７】
2005146664.tif 000009
【図８】
2005146664.tif 000010
【図９】
2005146664.tif 000011
【図１０】
2005146664.tif 000012
【図１１】
2005146664.tif 000013
【図１２】
2005146664.tif 000014
【図１３】
2005146664.tif 000015